(57)【要約】      （修正有）【課題】原稿台から原稿を読み取る場合に、ジョブに対して所定の設定がなされているか否かに応じて、原稿の置き忘れを適切に防止する制御を行う仕組みを提供する。【解決手段】ＭＦＰは、原稿台から原稿を読み取る場合に、ユーザによって所定の機能が設定されていない処理Ｓ５０３ＡＤＦ、Ｓ５０４Ｎｏであれば、出力処理を開始するＳ５０９。一方、ユーザによって所定の機能が設定された処理Ｓ５０４Ｙｅｓであれば、原稿台が開放されるＳ５０８Ｙｅｓまで、出力処理を開始しない。【選択図】図５
2019118106.tif 000002
【特許請求の範囲】
【請求項１】
原稿台と原稿台カバーとの間にセットされた原稿を読み取って画像データを生成する第１の読取手段と、
画像データを出力する出力手段と、
前記第１の読取手段により生成される画像データを前記出力手段によって出力するジョブの実行指示を受け付ける受付手段と、
前記原稿台カバーの開閉を検知する検知手段と、
前記第１の読取手段が原稿を読み取った後、前記ジョブに対して所定の設定がなされているか否かに応じて、前記検知手段によって前記原稿台カバーが開かれたことを検知するまで前記出力手段による出力処理を行わないように制御する制御手段と、
を備えることを特徴とする画像処理装置。
【請求項２】
前記出力手段は、前記画像データをシートに印刷する処理、前記画像データを外部装置に送信する処理、及び、前記画像データをストレージに記憶させる処理、の少なくとも１つに対応する出力処理を行うことを特徴とする請求項１に記載の画像処理装置。
【請求項３】
前記所定の設定は、原稿台と原稿台カバーとの間にセットしたＩＤカードの表面と裏面を読み取って１枚の画像データとして出力するための設定を含むことを特徴とする請求項１又は２に記載の画像処理装置。
【請求項４】
前記所定の設定は、前記画像データをシートに印刷する処理を行う際に、当該画像データに地紋データを埋め込んで印刷するための設定を含むことを特徴とする請求項１乃至３のいずれか１項に記載の画像処理装置。
【請求項５】
前記所定の設定は、前記画像データの出力処理を行う際に、当該画像データに前記画像処理装置の識別情報、ユーザの識別情報、及び、付加情報を埋め込んだ二次元コードの少なくとも１つを重畳して出力するための設定を含むことを特徴とする請求項１乃至４のいずれか１項に記載の画像処理装置。
【請求項６】
前記所定の設定は、前記画像データの出力処理を行う際に、当該画像データに付加情報を埋め込んだ符号画像を重畳して出力するための設定を含むことを特徴とする請求項１乃至５いずれか１項に記載の画像処理装置。
【請求項７】
前記付加情報は、原稿の複写を制限するための情報、ユーザの識別情報、出力処理が実行された日付、及び、前記画像処理装置の識別情報の少なくとも１つの情報を含むことを特徴とする請求項５又は６に記載の画像処理装置。
【請求項８】
前記所定の設定は、前記画像データを格納するファイルに、ファイルを開くためのパスワードを付加する設定、前記画像データを格納するファイルに電子署名を付加する設定、又は、前記画像データを格納するファイルにタイムスタンプを付加する設定の少なくとも１つを含むことを特徴とする請求項１乃至７のいずれか１項に記載の画像処理装置。
【請求項９】
前記所定の設定は、前記画像データを外部装置にファクス送信する際に、親展ファクス送信を行う設定を含むことを特徴とする請求項１乃至８のいずれか１項に記載の画像処理装置。
【請求項１０】
原稿給紙ユニットにセットされた少なくとも１枚の原稿束を読み取って画像データを生成する第２の読取手段を更に備え、
前記制御手段は、前記第２の読取手段によって原稿を読み取る場合は、前記所定の設定によらず、画像データの出力処理を実行することを特徴とする請求項１乃至９のいずれか１項に記載の画像処理装置。
【請求項１１】
前記制御手段は、前記第１の読取手段によって１枚の原稿を読み取って出力処理を実行する場合は、前記第１の読み取り手段によって１枚の原稿が読み取られ、且つ前記検知手段によって原稿台カバーが開かれたことを検知した場合に、画像データの出力処理を実行することを特徴とする請求項１乃至１０のいずれか１項に記載の画像処理装置。
【請求項１２】
前記制御手段は、前記第１の読取手段によって複数枚の原稿を読み取って出力処理を実行する場合は、前記第１の読取手段によって１枚の原稿を読み取って画像データを生成する度に、次の原稿を取るか否かの指示をユーザから受け付け、次の原稿を読み取る指示を受け付けた場合は、次の原稿の読み取りを開始させ、読み取り済みの画像データの出力処理を実行する指示を受け付けられ、且つ前記検知手段によって原稿台カバーが開かれたことを検知した場合は、出力処理を実行し、画像データの読み取りを中止する指示を受け付けた場合は、実行中の読み取り処理を中止することを特徴とする請求項１乃至１１のいずれか１項に記載の画像処理装置。
【請求項１３】
原稿台と原稿台カバーとの間にセットされた原稿を読み取って画像データを生成する読取手段を備える画像処理装置の制御方法であって、
画像データを出力する出力工程と、
前記読取手段により生成される画像データを前記出力工程によって出力するジョブの実行指示を受け付ける受付工程と、
前記原稿台カバーの開閉を検知する検知工程と、
前記読取手段が原稿を読み取った後、前記ジョブに対して所定の設定がなされているか否かに応じて、前記検知工程によって前記原稿台カバーが開かれたことを検知するまで前記出力工程による出力処理を行わないように制御する制御工程と、
を備えることを特徴とする画像処理装置。
【請求項１４】
請求項１３に記載の画像処理装置の制御方法をコンピュータに実行させるためのプログラム。
【発明の詳細な説明】
【技術分野】
【０００１】
本発明は、原稿などの対象を読み取って画像データを生成し処理する画像処理装置、画像処理装置の制御方法及びプログラムに関する。
【背景技術】
【０００２】
１枚の原稿を原稿台（原稿載置台）と原稿台カバーの間にセットして原稿の読み取りを実行し、生成された画像データの印刷、送信及び保存が可能な画像処理装置が知られている。このような画像処理装置において、ユーザは操作部を用いて、コピーや送信等の出力処理及びその処理の詳細（例えば、印刷部数や送信宛先等）を設定した後にジョブの実行開始を指示する。ジョブの実行開始の指示によって、原稿の読み取りが開始され、原稿の読み取りが完了すると、出力処理が行われる。
【０００３】
このような画像処理装置では、原稿台カバーが閉じられた状態で原稿の読み取りを実行する。原稿の読み取りが完了し、出力処理が実行されると、ユーザの関心は印刷物などの出力結果に向けられてしまう。この際にユーザは原稿を回収することを失念し、原稿台と原稿台カバーの間にセットしたまま置き忘れることがある。
【０００４】
このような問題を解決するため、例えば、画像処理装置に、原稿を検知するセンサ等の機構を追加することで原稿の置き忘れを検出し、点滅ランプやブザー等でユーザに警告する手段が知られている（特許文献１）。更に原稿を検知するセンサによって原稿が取り出されたことを検出し、原稿が取り出されたことが検出されて初めて印刷動作を開始する画像処理装置が知られている（特許文献２）。
【先行技術文献】
【特許文献】
【０００５】
【特許文献１】特開昭６０−２６３３０号公報
【特許文献２】特開２０００−３５２９１６号公報
【発明の概要】
【発明が解決しようとする課題】
【０００６】
特許文献２は、原稿給紙ユニットや原稿台から原稿が取り出されたことを検出した後に印刷動作を開始するものである。これにより、ユーザが原稿を取り出さない限り、印刷物が得られないため、原稿を置き忘れることを防止できる。
【０００７】
ユーザが免許証や保険証などの本人確認のための身分証明書を読み取る場合には、身分証明書が置き忘れられてしまうと、身分証明書の紛失に繋がるため、置き忘れることがないようにする必要性がより大きい。更に、機密保持の観点から印刷又はコピーを行う場合に、マル秘やＣＯＮＦＩＤＥＮＴＩＡＬなどの文字列やパターンを重ね合わせて印刷するスタンプ印字設定を備える画像処理装置がある。このように、機密情報の漏えい防止に関する設定がなされたコピージョブが実行される場合も、原稿の置き忘れが発生すると、機密漏えいに繋がるため、置き忘れを抑制する必要がある。
【０００８】
しかしながら、どのような場合でも、原稿が取り出されることを検出するまで出力処理を開始しないようにすると、原稿の出力処理が遅くなってしまい、ユーザの利便性を損ねてしまうという問題がある。
【０００９】
本発明は、上記の問題点に顧みなされたものであり、ジョブに対して所定の設定がなされているか否かに応じて、原稿の置き忘れを適切に抑制する制御を行う仕組みを提供することを目的とする。
【課題を解決するための手段】
【００１０】
上記の目的を達成するために本発明の画像処理装置は、原稿台と原稿台カバーとの間にセットされた原稿を読み取って画像データを生成する第１の読取手段と、画像データを出力する出力手段と、前記第１の読取手段により生成される画像データを前記出力手段によって出力するジョブの実行指示を受け付ける受付手段と、前記原稿台カバーの開閉を検知する検知手段と、前記第１の読取手段が原稿を読み取った後、前記ジョブに対して所定の設定がなされているか否かに応じて、前記検知手段によって前記原稿台カバーが開かれたことを検知するまで前記出力手段による出力処理を行わないように制御する制御手段と、を備えることを特徴とする。
【発明の効果】
【００１１】
本発明によれば、ジョブに対して所定の設定がなされているか否かに応じて、原稿の置き忘れを適切に抑制することができる。この仕組みにより、ユーザの利便性を大幅に損なう事なく原稿の置き忘れを抑制することができる。
【図面の簡単な説明】
【００１２】
【図１】本発明の実施形態におけるＭＦＰ１０１のハードウェア構成を示すブロック図である。
【図２】本発明の実施形態におけるスキャナ１２０の外観を示す図である。
【図３】本発明の実施形態におけるＭＦＰ１０１の操作画面を示す図である。
【図４】本発明の実施形態におけるＭＦＰ１０１の操作画面を示す図である。
【図５】本発明の実施形態におけるＭＦＰ１０１の印刷、送信又は保存動作を示すフローチャートである。
【図６】本発明の実施形態における処理条件の概要を示す図である。
【図７】本発明の実施形態におけるＭＦＰ１０１の操作画面を示す図である。
【図８】本発明の実施形態におけるＭＦＰ１０１の操作画面を示す図である。
【図９】本発明の実施形態におけるＭＦＰ１０１の操作画面を示す図である。
【図１０】本発明の実施形態におけるＭＦＰ１０１の原稿の読取動作を示すフローチャートである。
【図１１】本発明の実施形態におけるＭＦＰ１０１の操作画面を示す図である。
【図１２】本発明の実施形態におけるＭＦＰ１０１の原稿の読取動作を示すフローチャートである。
【図１３】本発明の実施形態におけるＭＦＰ１０１の原稿の読取動作を示すフローチャートである。
【図１４】本発明の実施形態におけるＭＦＰ１０１の操作画面を示す図である。
【発明を実施するための形態】
【００１３】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１４】
＜第１の実施形態＞
まず、本発明の第１の実施形態について説明する。図１は、ＭＦＰ１０１（ＭｕｌｔｉＦｕｎｃｔｉｏｎ  Ｐｅｒｉｐｈｅｒａｌ）のハードウェア構成を示すブロック図である。ＭＦＰ１０１は、画像処理装置の一例である。本実施形態では画像処理装置の一例としてＭＦＰを説明するが、単機能のスキャナ装置など、原稿台に置かれた１枚の原稿を読み取って画像データを生成する機能を有していればＭＦＰでなくとも良い。
【００１５】
ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して読取制御や印刷制御などの各種制御を行う。ＲＡＭ１１３は、ＣＰＵ１１１の主記憶メモリであり、ワークエリアやストレージ１１４に記憶された各種プログラムを展開する為の一時記憶領域として用いられる。ストレージ１１４は、画像データ、各種プログラム及び各種設定情報を記憶する。また本実施形態ではストレージ１１４としてＳＳＤ等のＦＬＡＳＨＤＩＳＫを想定しているが、ＨＤＤ等の補助記憶装置でもよい。
【００１６】
なお、ＭＦＰ１０１は、１つのＣＰＵ１１１が１つのメモリ（ＲＡＭ１１３）を用いて後述するフローチャートに示す各処理を実行するものとするが、他の様態であっても構わない。例えば複数のＣＰＵや複数のＲＡＭ、ＲＯＭ及びストレージを協働させて後述するフローチャートに示す各処理を実行することもできる。また、ハードウェア回路を用いて一部の処理を実行するようにしても良い。
【００１７】
操作部Ｉ／Ｆ１１５は、操作部１１６と制御部１１０を接続する。操作部１１６には、タッチパネル機能を有する液晶表示部やキーボードなどが備えられ、ユーザの指示を受け付ける受付部として機能する。
【００１８】
プリンタＩ／Ｆ１１７は、プリンタ１１８と制御部１１０を接続する。プリンタ１１８で印刷すべき画像データはプリンタＩ／Ｆ１１７を介して制御部１１０から転送され、プリンタ１１８において用紙などのシート上に印刷される。
【００１９】
スキャナＩ／Ｆ１１９は、スキャナ１２０と制御部１１０を接続する。スキャナ１２０は、ＭＦＰ１０１にセットされた原稿を読み取って画像データ（画像ファイル）を生成し、スキャナＩ／Ｆ１１９を介して制御部１１０のストレージ１１４に転送する。
【００２０】
図２（Ａ）は、ＭＦＰ１０１のスキャナ１２０を示す断面図である。スキャナ１２０は、原稿台２００上（原稿台カバー２１９と原稿台２００の間）にセットされた１枚の原稿を読み取ることができる。
【００２１】
図２（Ｂ）はＭＦＰ１０１のスキャナ１２０を示す斜視図である。図２（Ｂ）に示すように、ユーザは原稿台２００に設置されたヒンジ２２３を支点として原稿台カバー２１９を持ち上げることができる。原稿台カバー２１９が持ち上げられ、原稿台２００が開放されると、原稿台２００のプラテンガラス２２２上に原稿をセットすることができる。また、原稿台カバー２１９はプラテンガラス２２２上にセットされた原稿を押さえる圧板としても機能する。
【００２２】
開閉センサ２２１は原稿台カバー２１９が開いた状態であるか、閉じた状態であるかを検出することができる。開閉センサ２２１は、例えば原稿台２００の上面に突設されたスイッチであり、原稿台カバー２１９が閉じられ、スイッチが押しこまれた状態（図２（Ａ））を原稿台カバー２１９が閉じた状態として検出する。一方、原稿台カバー２１９が上部に持ちあがり、スイッチにかかる押圧力が取り除かれた状態（図２（Ｂ））を、原稿台カバー２１９が開いた状態として検出する。
【００２３】
スキャナ１２０は、ランプ２１１を点灯し、光学ユニット２１２を移動させながら原稿台２００にセットされた原稿を走査する。この時、原稿からの反射光はミラー２１３、２１４、２１５及びレンズ２１６を介してＣＣＤイメージセンサ（以下ＣＣＤ）２１７へ導かれる。ＣＣＤ２１７は原稿からの反射光を読み取って、画像データを生成する。原稿台２００にセットされた原稿の読み取りが完了すると、次の原稿の読み取りに向けて光学ユニット２１２を原稿の読み取り開始位置に移動する。
【００２４】
また、スキャナ１２０は、原稿給紙ユニット（以下ＡＤＦという）２０１にセットされた原稿束を読み取ることもできる。この場合、ＡＤＦ２０１は、セットされた原稿束を１枚ずつ給紙し、光学ユニット２１２まで搬送する。搬送された原稿は光学ユニット２１２にて読み取られ、排出トレイ２１８に排紙される。更に、スキャナ１２０は、ＡＤＦ２０１に原稿がセットされているか否かを、不図示のＤＦ原稿検知センサで検知することができる。なお、これらの開閉センサ２２１及びＤＦ原稿検知センサの出力は、スキャナＩ／Ｆ１１９を介して制御部１１０（ＣＰＵ１１１）に通知される。
【００２５】
なお、本実施形態ではＡＤＦを備えたＭＦＰを想定しているが、本発明は、ＡＤＦを備えず、原稿台にセットされた１枚の原稿を読み取る構成のＭＦＰにも適用できる。
【００２６】
図１の説明に戻り、ＭＦＰ１０１は、スキャナ１２０で生成された画像データを、プリンタ１１８に転送し、印刷することができる（コピージョブ）。また、スキャナ１２０で生成された画像データを、各種送信プロトコルを用いて送信することもできる（送信ジョブ）。更に、スキャナ１２０で生成された画像データをＭＦＰ１０１が読み書き可能な保存領域に保存することもできる（保存ジョブ）。
【００２７】
モデムＩ／Ｆ１２１は、モデム１２２と制御部１１０を接続する。モデム１２２は、ＰＳＴＮ１０２に接続され、図示しないファクス装置との間で画像データのファクス送受信を実行することができる。
【００２８】
ネットワークＩ／Ｆ１２３は、制御部１１０（ＭＦＰ１０１）をＬＡＮ１０３に接続する。ネットワークＩ／Ｆ１２３は、ＬＡＮ１０３上の外部装置（メールサーバやファイルサーバ、ＰＣなど）に画像データや情報を送信したり、ＬＡＮ１０３上の外部装置から情報を受信したりする。
【００２９】
ユーザがＭＦＰ１０１の使用を開始すると、実行する処理を設定するための設定画面が表示される。図３及び図４は、操作部１１６に表示される出力設定画面の一例を示す図である。ユーザは、図３の画面において操作キー３０１乃至操作キー３０３を操作することにより、実行する処理を指定する事ができる。図３は操作キー３０１が選択された状態の一例である。なお、図３では、機能として「コピー」、「スキャンして送信」及び「スキャンして保存」を例示しているが、ＭＦＰ１０１がこれら以外の機能を備えていてもよい。
【００３０】
操作キー３０１を選択したユーザは操作部１１６のタッチパネルを介してコピージョブの詳細な設定を行う事ができる。情報３１１は、画面外のハードキーとして備えられたスタートキーを押下することで、コピージョブの実行を開始できることを通知するものである。情報３１５は、印刷部数を通知するものである。ユーザは、画面外のハードキーとして供えられたテンキーを介して印刷部数を入力することができる。
【００３１】
操作キー３２１は、印刷物の出力色を選択する場合に使用する操作キーである。操作キー３２２は原稿サイズに対する印刷物の倍率を等倍に設定する場合に使用する操作キーである。一方、操作キー３２３は、原稿サイズに対する印刷物の倍率を任意のものに変更する場合に使用する操作キーである。操作キー３２４は印刷で使用する用紙を選択する場合に使用する操作キーである。なお、情報３１２から情報３１４は操作キー３２１から操作キー３２４によって設定されたコピーに関する設定状態をユーザに通知するものである。
【００３２】
操作キー３２５は、コピージョブにＩＤカードコピー機能を設定する場合に使用する操作キーである。ＩＤカードコピー機能は、身分証明書（例えば、免許証や健康保険証）などのカード状の原稿の表面と裏面を読み取って１枚のシートに印刷するための機能である。詳細については、後述する画像データの印刷動作にて説明する。
【００３３】
操作キー３２６は、コピージョブに地紋印字機能を設定する場合に使用する操作キーである。地紋印字機能は、スキャナ１２０で生成された画像データに、地紋データを背景として埋め込んで印刷するための機能である。地紋データとは、原本（出力した印刷物）においては、単なる濃度が薄い模様や背景色などに見えるが、原本をコピーするとコピー出力上に「ＣＯＰＹ」などの所定の文字列やマークなどが浮かび上がるような画像データをいう。地紋印字がなされた印刷物をコピーすると、地紋が浮かび上がり、二次的にコピーされた情報であることが分かる。このように地紋印字機能は、コピーにより原本を容易に複製できないようにするための仕掛けであり、原本の複写を抑止する効果を奏する。
【００３４】
操作キー３２７は、シリアル番号印字機能を設定する場合に使用する操作キーである。シリアル番号印字機能は、スキャナ１２０で生成された画像データにＭＦＰ１０１の機種名、管理番号又はシリアル番号等の文字列を識別情報として重畳し印刷するための機能であり、印刷物がどのＭＦＰから印刷されたか追跡する場合に利用される。なお、ユーザが部門ＩＤやユーザＩＤを入力してログインして利用するＭＦＰであれば、部門ＩＤやユーザＩＤ等の文字列を識別情報として重畳できるようにしてもよい。
【００３５】
操作キー３２８はスタンプ印字機能を設定する場合に使用する操作キーである。スタンプ印字機能は、スキャナ１２０で生成された画像データに、マル秘やＣＯＮＦＩＤＥＮＴＩＡＬ等を示す文字列やパターンを重畳して印刷するための機能であり、印刷物の取り扱いに対する注意勧告を行う場合に使用される。
【００３６】
操作キー３２９は電子透かし印字機能を設定する場合に使用する操作キーである。電子透かし印字機能は、スキャナ１２０で生成された画像データに、一見して目立たない所定のドットで構成された符号画像を背景として埋め込み、そのドットの変異を利用して印刷物に関連するデジタル情報を埋め込む機能である。
【００３７】
操作キー３３０は、バーコードパターン印字機能を設定する場合に使用する操作キーである。バーコードパターン印字機能は、スキャナ１２０で生成された画像データに、デジタル情報を付加したＱＲコード（登録商標）等の二次元コードやバーコード等のコードシンボルを重畳して印刷するための機能である。
【００３８】
電子透かし印字機能やバーコードパターン印字機能は、商品管理や、個人情報や機密情報の漏えい防止等を目的としたマ−キングを行う場合に利用される。例えば電子透かし印字機能やバーコードパターン印字機能では、印刷物に複写を制限するための付加情報をデジタル情報として埋め込むことができる。更に、印刷物の追跡の為に、ユーザやＭＦＰの識別情報及びに印刷物を出力した日付などの付加情報を埋め込んでもよい。
【００３９】
なお、ＭＦＰは電子透かし印字やバーコードパターン印字がなされた印刷物を読み取った場合は、付加情報に応じて、コピーを禁止したり、コピーするためのパスワードの入力を求めたりすることで情報の漏えいを防ぐことができる。
【００４０】
図３の説明に戻り、操作キー３３１は、現在表示されている設定の他に、コピーに関する詳細設定を行う画面に遷移するための操作キーである。
【００４１】
また、ユーザは、画面外のハードキーとして備えられたスタートキーを押下することで、コピージョブを開始することができる。
【００４２】
一方、ユーザが操作キー３０２を選択すると、送信ジョブ（スキャンして送信）の設定を行うための設定画面に遷移する。操作キー３０２を選択したユーザは操作部１１６のタッチパネルを介して送信ジョブに対して設定を行う事ができる。図４（Ａ）は、操作キー３０２が選択された状態の出力設定画面の一例である。
【００４３】
ユーザは、操作キー４１１を操作する事により、画像データを送信する宛先を設定する事ができる。操作キー４１１を操作したユーザはＲＡＭ１１３又はストレージ１１４に保持されている不図示のアドレス帳を参照して、画像データを送信する宛先を設定できる。また、操作部１１６を介して新規宛先を入力し、画像データを送信する宛先として設定することができる。
【００４４】
操作キー４１２は、親展ファクス機能を設定する場合に使用する操作キーである。親展ファクス機能は、画像データをファクス装置に送信する際に、Ｆコードを利用して親展扱いでファクス送信を行う為の機能である。なお、操作キー４１２は画像データを送信する宛先にファクス装置が含まれていない場合は、グレーアウトで表示するようにしてもよいし、表示を行わないようにしてもよい。親展ファクス機能の詳細については、後述する画像データの送信動作において説明する。
【００４５】
操作キー４１３は、送信する画像データ（ファイル）に電子署名機能を設定する場合に使用する操作キーである。電子署名を付加する場合は、予め設定された機器（ＭＦＰ１０１）に対応する署名情報をファイルに埋め込むことで、どの機器でスキャンされたファイルであるか受信者に対して証明することができる。また、ユーザＩＤを入力してログインして利用するＭＦＰであれば、ユーザの署名情報をファイルに埋め込むこともできる。この場合、どのユーザがスキャンしたファイルであるかを受信者に対して証明することができる。
【００４６】
操作キー４１４はタイムスタンプ機能を設定する場合に使用する操作キーである。タイムスタンプ機能は、予め設定された第三者による保証された時刻情報（タイムスタンプトークン）をファイルに埋め込むことで、スタンプされた時刻にファイルが存在していたことを受信者に対して証明する事ができる。受信者側は、第三者により発行されるタイムスタンプと受信したファイルに埋め込まれた時刻情報を比較することで、スタンプされた時刻にそのデータが存在し、改ざんが行われていないことを確認することができる。
【００４７】
次に、操作キー４１５は、読取解像度を設定する場合に使用する操作キーである。操作キー４１６は、送信する画像データのファイル形式を設定する場合に使用する操作キーである。操作キー４１７は、スキャナ１２０から読み取る原稿のサイズを選択する場合に使用する操作キーである。操作キー４１８は、現在表示されている設定の他に、送信ジョブに関する詳細設定を行う画面に遷移するための操作キーである。
【００４８】
また、ユーザは、画面外のハードキーとして備えられたスタートキーを押下することで、原稿の読み取り及び読み取った画像データの送信を行う送信ジョブを実行できる。
【００４９】
図３の説明に戻り、ユーザが操作キー３０３を選択すると、保存ジョブ（スキャンして保存）の設定を行うための設定画面に遷移する。操作キー３０３を選択したユーザは操作部１１６のタッチパネルを介して保存ジョブの設定を行う事ができる。図４（Ｂ）は、操作キー３０３が選択された状態の出力設定画面の一例である。
【００５０】
ユーザは、操作キー４２１を操作する事により、画像データを保存する保存領域を設定する事ができる。操作キー４２１を操作したユーザは、ＲＡＭ１１３又はストレージ１１４に保持されている保存先リストを参照して、画像データの保存先を選択できる。画像データの保存先はＭＦＰ１０１のストレージ１１４内に設けられた保存領域でもよいし、ＬＡＮ１０３を介してＭＦＰ１０１が読み書き可能な外部サーバなどの保存領域であってもよい。
【００５１】
また、ユーザは、画面外のハードキーとして備えられたスタートキーを押下することで、原稿の読み取り及び読み取った画像データの保存を行う保存ジョブを実行できる。
【００５２】
図５は、ＭＦＰ１０１におけるコピー、送信又は保存動作を説明するフローチャートである。図５のフローチャートに示す各動作（ステップ）は、ＭＦＰ１０１のＣＰＵ１１１がＲＯＭ１１２又はストレージ１１４に記憶された制御プログラムを実行することにより実現される。
【００５３】
ユーザがＭＦＰ１０１の使用を開始すると、ステップＳ５０１において実行する処理の設定を受け付ける。ユーザは、操作部１１６に表示される前述した図３及び図４の画面を介して実行する処理及び処理の設定を行う。ステップＳ５０２では、画面外のハードキーとして備えられたスタートキーの押下によるコピージョブ、送信ジョブ又は保存ジョブの実行指示を受け付ける。実行指示が受け付けられると、ステップＳ５０３に進み、ジョブの実行を開始する。
【００５４】
最初に、コピージョブが実行された場合について説明する。図７は、コピージョブの実行中に操作部１１６に表示されるコピー画面の一例を示す図である。
【００５５】
ジョブの実行が開始されると、ステップＳ５０３では、原稿台２００とＡＤＦ２０１のどちらから原稿を読み取るかを判定する。ＡＤＦ２０１から原稿を読み取る場合であれば、ステップＳ５０６に進む。原稿台２００から原稿を読み取る場合であれば、ステップＳ５０４に進む。本実施形態では、不図示のＤＦ検知センサの出力に応じてＡＤＦ２０１に原稿がセットされていると判定すると、ＡＤＦ２０１から原稿を読み取る。一方、ＡＤＦ２０１に原稿がセットされていないと判定した場合は、原稿台２００から原稿を読み取る。
【００５６】
ステップＳ５０４では、所定の機能が設定されているか否かを判定する。
【００５７】
本実施形態では、身分証明書等を読み取る為の機能が設定された場合や、出力結果に何らかのセキュリティ情報を付加する機能が設定された場合は、原稿を置き忘れた場合のリスクが高いと判断し、原稿の置き忘れ防止処理を実行する。原稿の置き忘れ防止処理は、原稿が取り出されたと判断すると、出力処理を開始する。一方、前述したセキュリティに関する機能が設定されていない場合は、原稿の読み取りが完了を契機に出力処理を開始する。
【００５８】
図６は、原稿を置き忘れた場合に置き忘れのリスクが大きいと判断される機能が設定されているか否かを判定するための処理条件の一例を示す図である。図６では、ジョブに対して機密情報の漏えい防止に関する設定がなされた場合や、ＩＤカードを読み取る設定がなされた場合に、原稿台が開放されるまで送信を行わないようにしている。
【００５９】
コピージョブの場合は、条件６０１乃至条件６０６に該当する機能の少なくとも１つが実行中のジョブに設定されているか否かを判定する。条件６０１乃至条件６０６に該当する機能が設定されていると判定すると、ステップＳ５０５に進み、条件６０１乃至条件６０６に該当する機能が実行中の処理に設定されていないと判定すると、ステップＳ５０６に進む。
【００６０】
ステップＳ５０６では、スキャナ１２０を制御して原稿を読み取り、画像データを生成し、ストレージ１１４に格納する。ステップＳ５０３で原稿台２００にセットされた原稿を読み取ると判定された場合は、１枚の原稿を読み取り、ＡＤＦ２０１から原稿を読み取ると判定された場合は、ＡＤＦ２０１にセットされた原稿束の全てを読み取って画像データを生成する。また、ステップＳ５０６では、図７（Ａ）に示すユーザにコピージョブの状態を通知するためのポップアップ画面を操作部１１６に表示する。
【００６１】
情報７０１は原稿の読み取り中であることをユーザに通知するものである。領域７０２はスキャナ１２０で読み取られた画像データの枚数をユーザに通知するものである。領域７０３は出力される１部あたりの印刷物の枚数をユーザに通知するものである。領域７０４は印刷された部数及び印刷すべき部数をユーザに通知するものである。操作キー７０５は、コピーを中止するための操作キーである。
【００６２】
図５の説明に戻り、ステップＳ５０６において画像データが生成されると、ステップＳ５０９に進み、出力処理を開始する。コピージョブの場合は、プリンタ１１８を制御し、ストレージ１１４に格納された画像データをシートに印刷する処理を開始するとともに、コピージョブの状態を操作部１１６に表示する（図７（Ｂ）。情報７０６は読み取った画像データを印刷している状態であることをユーザに通知するものである。ユーザが設定した部数の印刷が完了すると、出力処理を終了する。出力処理の終了後は出力設定画面（図３）へ戻り、新たな処理の設定を待つ状態に遷移する。
【００６３】
一方、ステップＳ５０５では、スキャナ１２０を制御して原稿台にセットされた１枚の原稿を読み取って画像データを生成し、ストレージ１１４に格納する。また、操作部１１６にコピージョブの状態を通知する画面を表示する（図７（Ａ））。ステップＳ５０７では、図７（Ｃ）に示すポップアップ画面を操作部１１６に表示する。情報７０７は、原稿台カバーを開けて原稿を取り除く旨をユーザに通知するものである。ステップＳ５０８では、原稿台２００が開放されているか否かを開閉センサ２２１の検出結果に基づいて判定する。開閉センサ２２１によって原稿台カバー２１９が開いた状態を検出した場合は、原稿台２００が開放されていると判定し、原稿台カバー２１９が閉じた状態を検出した場合は、原稿台２００が開放されていないと判定する。原稿台２００が開放されていると判定された場合は、ステップＳ５０９に進み、出力処理を実行する（図７（Ｂ））。一方、原稿台２００が開放されていないと判定された場合は、原稿台カバー２１９が開かれるまで待機する。なお、ステップＳ５０５乃至ステップＳ５０９の各ステップの実行中に、ジョブの中止を行うための操作キー７０５が押下された場合は、実行中の処理を中止し、出力設定画面（図３）へ戻り、新たな処理の設定を待つ状態に遷移する。
【００６４】
次に、送信ジョブが指定された場合について説明する。図８（Ｃ）、（Ｄ）は、送信ジョブの実行中に操作部１１６に表示される送信画面の一例を示す図である。
【００６５】
ステップＳ５０１乃至ステップＳ５０３の出力設定、ジョブの実行開始、及びに原稿台２００とＡＤＦ２０１のどちらから原稿を読み取るかの判定はコピージョブの場合と同様の処理であるため省略する。
【００６６】
送信ジョブの場合、ステップＳ５０４では、図６の条件６０７乃至条件６１０に該当する機能の少なくとも１つが実行中の処理に設定されているか否かを判定する。条件６０７乃至条件６１０に該当する機能が設定されていると判定すると、ステップＳ５０５に進み、条件６０７乃至条件６１０に該当する機能が実行中の処理に設定されていないと判定すると、ステップＳ５０６に進む。
【００６７】
ここで、親展ファクス機能（条件６０６に該当する機能）について説明する。親展ファクス送信を用いたファクス送信では、送信先ファクス装置に開設されているボックスに文書（画像データ）を送信する。出力設定処理画面（図４（Ａ））において操作キー４１２が押下されると、親展ファクスを設定するための画面に遷移する。
【００６８】
図８（Ａ）は、操作キー４１２が選択された状態の出力設定画面の一例である。領域８０１は、送信先のファクス装置に開設されている受信文書を保存する為のボックスの番号（Ｆコード）を入力するための領域である。領域８０２は、送信先のボックスに対応するパスワードを入力するための領域である。親展ファクスを受信した相手先ユーザは、ボックスを開いて受信済みの文書を印刷することができる。なお、ボックスにパスワードが設定されている場合は、ユーザはパスワードを入力し、ボックスを開く。このような、親展ファクス送信では、ファクス受信時に自動的な印刷を行わないため、特定の人以外の閲覧を避けたい文書などを送信したい場合に利用される。
【００６９】
次に、画像データを格納するファイルに暗号化パスワードを設定する機能（条件６１０に該当する機能）について説明する。出力設定画面（図４（Ａ））において操作キー４１６が押下されると、ファイル形式を設定する画面に遷移する。ファイル形式を設定する画面でＰＤＦファイルが選択された場合は、更に、ＰＤＦファイルの詳細設定を行うことができる。
【００７０】
図８（Ｂ）はＰＤＦファイルの詳細設定を行うためのポップアップ画面の一例である。図８（Ｂ）では、画像データの圧縮率に関する設定や、画像データ上の文字と思われる部分を解析し、テキスト情報を付加するＯＣＲ（文字認識）設定に加え、ファイルを開くためのパスワードを設定することができる。操作キー８０３は、送信するファイルに、ファイルを開くためのパスワードを付加する場合に使用する操作キーである。操作キー８０３が押下されると、領域８０４がポップアップ画面に表示される。ユーザは、領域８０４にパスワードを入力し、ＯＫボタンを押下することで、送信するＰＤＦファイルに暗号化パスワードを付加することができる。
【００７１】
また、条件６０８に該当する機能は前述した電子署名機能であり、条件６０９に該当する機能は前述したタイムスタンプ機能である。
【００７２】
図５の説明に戻り、ステップＳ５０４で所定の機能が設定されていないと判定された場合は、ステップＳ５０６に進む。ステップＳ５０６では、原稿を読み取って画像データを生成する。また、送信ジョブの状態を操作部１１６に表示する（図８（Ｃ））。情報８０５は原稿の読み取り中であることをユーザに通知するものである。画像データが生成されると、ステップＳ５０９に進み、ストレージ１１４に格納された画像データを宛先に送信する。
【００７３】
一方、所定の機能が設定されていると判定された場合は、ステップＳ５０５に進む。ステップＳ５０５では原稿を読み取って、画像データを生成するとともに、操作部１１６に送信ジョブの状態を通知する（図８（Ｃ））。ステップＳ５０７及びステップＳ５０８では、原稿を取り除く旨の表示（図８（Ｄ））を行い、ユーザが原稿台カバー２１９を持ち上げて、原稿台２００を開放するまで待機する。ユーザにより原稿台２００が開放されると、ステップＳ５０９に進み、ストレージ１１４に格納された画像データを宛先に送信する。
【００７４】
最後に、保存ジョブが指定された場合について説明する。図９（Ｂ）、（Ｃ）は、保存ジョブの実行中に操作部１１６に表示される送信画面の一例を示す図である。
【００７５】
ステップＳ５０１乃至ステップＳ５０３の出力設定、ジョブの実行開始、及びに原稿読み取り先の判定はコピージョブの場合と同様の処理であるため省略する。
【００７６】
保存ジョブの場合、ステップＳ５０４では、画像データを格納するファイルに暗号化パスワードを設定する機能（条件６１０に該当する機能）が、実行中の保存ジョブに設定されているか否かを判定する。図９（Ａ）はＰＤＦファイルの詳細設定を行うためのポップアップ画面の一例である。送信ジョブの場合（図８（Ｂ））と同様に、ファイルを開くためのパスワードを入力し、ＯＫボタンを押下することで、送信するＰＤＦファイルに暗号化パスワードを付加することができる。
【００７７】
図６に示す条件６１０の機能が設定されていないと判定された場合は、ステップＳ５０６に進む。ステップＳ５０６では、画像データを読み取り、保存ジョブの状態を操作部１１６に表示する（図９（Ｂ））。情報９０１は原稿の読み取り中であることをユーザに通知するものである。画像データが生成されると、ステップＳ５０９に進み、生成した画像データを保存先のボックスに保存する。
【００７８】
一方、条件６１０の機能が設定されていると判定された場合は、ステップＳ５０５に進む。ステップＳ５０５では原稿を読み取って画像データを生成するとともに、ユーザに保存ジョブの状態を通知する（図９（Ｂ））。ステップＳ５０７及びステップＳ５０８では、原稿を取り除く旨の表示（図９（Ｃ））を行い、ユーザが原稿台カバー２１９を持ち上げて、原稿台２００を開放するまで待機する。ユーザにより原稿台２００が開放されると、ステップＳ５０９に進み、生成した画像データを保存先のボックスに保存する。
【００７９】
ここまで、原稿台２００から１枚の原稿を読み取って、出力処理を行う場合について説明したが、ＩＤカードコピー機能が設定された場合は、原稿の表面と裏面を読み取る必要がある。そのため、その他の設定の場合の読み取り制御とは異なる読み取り制御を行う。ここで、コピージョブの出力設定画面（図３）において、ＩＤカードコピー機能が設定された場合に実行する原稿の裏面と表面を読み取る読み取り制御について説明する。
【００８０】
＜ＩＤカードコピー機能が設定された場合の読み取り制御＞
出力設定画面（図３）で操作キー３２５が押下されると、ＩＤカードコピー機能の設定画面に遷移する。図１１（Ａ）はＩＤカードコピー機能の設定画面である。情報１１０１及び情報１１０２は、ＩＤカードの表面を読み取った後に、ＩＤカードの裏面を読み取って１枚の用紙にコピーする機能であることをユーザに通知するものである。
【００８１】
操作キー１１０３が押下されると、コピージョブにＩＤカードコピー機能が設定される。一方、操作キー１１０４が押下されると、ＩＤカードコピー機能の設定を取り消す。
【００８２】
ユーザによってＩＤカードコピー機能が設定された場合は、ステップＳ５０５で１枚の原稿を読み取る動作に換えて、図１０に示す原稿の表面を読み取った後に原稿の裏面を読み取る読取動作を行う。なお、ＩＤカードコピー機能が設定された場合は、ＣＰＵ１１１は、ＡＤＦ２０１に原稿がセットされている場合であっても、原稿台２００にセットされた原稿を読み取るようにスキャナ１２０を制御する。
【００８３】
図１０は、ＭＦＰ１０１におけるＩＤカードコピー機能が設定された場合の原稿の読取動作を説明するフローチャートである。図１０のフローチャートに示す各動作（ステップ）は、ＭＦＰ１０１のＣＰＵ１１１がＲＯＭ１１２又はストレージ１１４に記憶された制御プログラムを実行することにより実現される。
【００８４】
ステップＳ１００１では、スキャナ１２０を制御し、原稿台から１枚の原稿を読み取って画像データを生成する。原稿の読み取りが完了すると、裏面の読み取りを待つ裏面読取画面を表示する。図１１（Ｂ）はステップＳ１００２においてユーザに提示する裏面読み取り画面の一例である。情報１１０５はＩＤカードの裏面を読み取る為に、ＩＤカードを裏返した後に、読み取りを開始するためのスタートボタンを押下する旨をユーザに通知するものである。
【００８５】
図１０の説明に戻り、ステップＳ１００２によって裏面読取画面が表示されると、ステップＳ１００３に進む。ステップＳ１００３では、操作部１１６を介したユーザからの指示に応じて処理を切り替える。スタートキーが押下された場合は、ステップＳ１００４に進みＩＤカード裏面の原稿の読み取りを開始する。操作キー１１０６が押下された場合は、ステップＳ１００５に進み、画像データの読み取り処理を中止する。画像データの読み取り処理が中止されると、出力設定画面（図３）へ戻り、新たな処理の設定を待つ状態に遷移する。一方、操作が行われない場合は、ユーザからの操作を待ち続ける。
【００８６】
ステップＳ１００４ではスキャナ１２０を制御し、原稿台から１枚の原稿を読み取って画像データを生成する。ステップＳ１００４で読み取られた画像データとステップＳ１００２で読み取られた画像データは、制御部１１０で、１枚の画像データに変換される。ステップＳ１００１乃至ステップＳ１００４において、ＩＤカードの表面と裏面を読み取って１枚の画像データを生成すると、図５のステップＳ５０７乃至ステップＳ５０９に示す原稿台２００の開放待ちの処理に進む。図１１（Ｃ）はステップＳ５０７においてユーザに提示する表示画面の一例であり、情報１１０７は原稿台カバーを開けてＩＤカードを取り除く旨をユーザに通知するものである。
【００８７】
このように、ＩＤカードコピー機能が設定された場合は、表面を読み取った後に一度原稿台２００が開放されても、その時には出力処理を開始せず、裏面を読み取る読み取り制御を行う。
【００８８】
以上説明した通り、原稿台から原稿を読み取って、コピー処理、送信処理又は保存処理を行う場合に、実行中のジョブに対してセキュリティに関する所定の機能が設定されていれば、原稿台２００が開放されるまで、印刷、送信、又は、保存処理を実行しない。原稿台カバーを開けない限り、ユーザの指定した処理が行われないため原稿の取り忘れを防止することができる。一方、ＡＤＦ２０１から原稿を読み取る場合又は、ジョブに対して所定の機能が設定されていない場合（ステップＳ５０４でＮｏ）は、原稿台２００の開放を待たずに出力処理を実行するため、ユーザにとって手間のかからない出力処理を行う事ができる。
【００８９】
＜第２の実施形態＞
次に、本発明の第２の実施形態について説明する。第１の実施形態では、原稿台から１枚の原稿を読み取って出力処理を実行する場合に、所定の機能が設定されていれば原稿台カバーを開けるまで出力処理を実行しない例を説明した。
【００９０】
第２の実施形態では、原稿台から複数枚の原稿を読み取ることが可能な読み取り制御について説明する。具体的には、第１の実施形態におけるステップＳ５０５の処理を原稿台から複数の原稿を読み取ることが可能な読み取り制御に置き換える。
【００９１】
図１２及び図１３は、ＭＦＰ１０１における原稿の読取動作を説明するフローチャートである。図１２及び図１３のフローチャートに示す各動作（ステップ）は、ＭＦＰ１０１のＣＰＵ１１１がＲＯＭ１１２又はストレージ１１４に記憶された制御プログラムを実行することにより実現される。
【００９２】
図５のステップＳ５０４において実行中のジョブに対して所定の機能が設定されていると判定された場合は（ステップＳ５０４でＹｅｓ）、ステップＳ１２０１に進む。ステップＳ１２０１では、実行中のジョブに対してＩＤカードコピー機能が設定されているか否かを判定する。実行中のジョブに対してＩＤカードコピー機能が設定されている場合は、ステップＳ１０１１に進み、ＩＤカードの表面と裏面を読みとって１枚の画像データを生成し、ステップＳ５０７に進む。ステップＳ５０７乃至ステップＳ５０９では原稿台２００の開放に応じて、画像データのコピー処理を行う。
【００９３】
一方、実行中のジョブに対してＩＤカードコピー機能が設定されていないと判定された場合（ステップＳ１２０１でＮｏ）は、ステップＳ１２０２に進む。ステップＳ１２０２では、複数枚の原稿を読み取る必要があるか否かを判定する。複数枚の原稿を読み取る必要があるか否かの判定は、具体的には図１３のフローチャートに示す各動作に従って判定される。
【００９４】
ＩＤカードコピー機能が設定されていない場合（ステップＳ１２０１でＮｏ）ステップＳ１３０１に進む。ステップＳ１３０１では、ジョブの種別を判定する。送信ジョブである場合は、複数枚の原稿を読み取る必要があると判定する。
【００９５】
一方、コピージョブ又は保存ジョブの場合は、ステップＳ１３０２に進む。ステップＳ１３０２では、ジョブの詳細設定において、両面出力機能が設定されたか否かを判定する。両面出力機能とは、コピージョブで設定可能な機能であり、複数ページ分の画像データを読み取って、シートの表面及び裏面に印刷を行う為の機能である。両面出力設定が設定されている場合は、複数枚の原稿を読み取る必要があると判定する。一方、両面出力設定が設定されていない場合は、ステップＳ１３０３に進む。
【００９６】
ステップＳ１３０３では、ページ集約機能が設定されているか否かを判定する。ページ集約機能とは、複数ページ分の画像データを読み取って、複数ページ分の画像データを１ページにまとめてシートに印刷する、又は、１ページにまとめた画像データとして送信又は保存する機能である。例えば、２ページ分の画像データを１ページにまとめる２ｉｎ１ページ集約を行う事ができる。更に、４ｉｎ１、６ｉｎ１、８ｉｎ１等、複数ページを１ページにまとめて出力するように設定することができる。これらのページ集約機能が設定されている場合は、複数枚の原稿を読み取る必要があると判定する。一方、ページ集約機能が設定されていない場合は、複数枚の原稿を読み取る必要がないと判定する。
【００９７】
なお、本実施形態では、両面出力機能及びページ集約機能は、図３、図４に例示する出力設定画面又は出力設定画面中の「その他の機能」から設定できるようにしている。
【００９８】
更に、本実施形態では、複数枚の原稿を読み取る必要があるか否か判定を図１２のフローチャートに例示しているが、これに限らない。例えば、複数枚の原稿を読み取るか否を図３の出力設定画面で設定できるように構成し、複数枚の原稿を読み取る設定がなされているか否かをステップＳ１３０４で判定するようにしてもよい。また、ステップＳ１３０１乃至ステップＳ１３０３の判定の順序は入れ替わってもよい。更に、ステップＳ１３０１では、画像データを送信する送信ジョブの場合には、複数枚の原稿を読み取る必要があると判定しているが、ステップＳ１３０１の判定を行わないように構成してもよい。
【００９９】
図１２の説明に戻り、ステップＳ１２０２において、複数枚の原稿を読み取る必要がないと判定された場合は、ステップＳ１２０３に進む。ステップＳ１２０３では、スキャナ１２０を制御して原稿台２００にセットされた１枚の原稿を読み取った後に、図５のステップＳ５０７乃至ステップＳ５０９に示す原稿台２００の開放待ちの処理に進む。
【０１００】
一方、ステップＳ１２０２において、複数枚の原稿を読み取る必要があると判定された場合は、ステップＳ１２０４に進む。ステップＳ１２０４では、スキャナ１２０を制御して原稿台２００にセットされた１枚の原稿を読み取って画像データを生成し、ステップＳ１２０５に進む。ステップＳ１２０５では、次の原稿を読み取るか否かを問い合わせる継続確認画面を表示する。
【０１０１】
まず、コピージョブが指定された場合について説明する。図１４（Ａ）はステップＳ１２０５においてユーザに提示する継続確認画面の一例である。
【０１０２】
図１４（Ａ）では、操作キー１４０１として「中止」、操作キー１４０２として「コピー開始」を例示している。また、情報１４１１は、画面外のハードキーとして備えられたスタートキーを押下することで、次の原稿の読取を開始できることを通知するものである。ここで、次の原稿を読み取りたいユーザは、原稿台に新たな原稿をセットする。具体的には、原稿台カバー２１９を開いて、原稿台２００を開放し、原稿台２００と原稿台カバーとの間にセットする原稿を取りかえて原稿台カバー２１９を閉じる。
【０１０３】
図１２の説明に戻り、ステップＳ１２０５によって継続確認画面が表示されると、ステップＳ１２０６に進む。ステップＳ１２０６では、次の原稿を読み取る指示があったか否かを判定する。スタートキーが押下されたことを通知するイベントを受信した場合には、次の原稿を読み取る指示があったと判定しステップＳ１２０４に戻り次の原稿の読み取りを開始する。スタートキーが押下されたことを通知するイベントを受信していない場合には、ステップＳ１２０７に進む。
【０１０４】
ステップＳ１２０７ではコピーを開始する指示があったか否かを判定する。操作キー１４０２が押下されたことを通知するタッチイベントを受信した場合は、コピーを開始する指示があったと判定し、原稿の読み取りを終了し、図５のステップＳ５０７乃至ステップＳ５０９に示す原稿台２００の開放待ちの処理に進む。
【０１０５】
図１４（Ｂ）はステップＳ５０７においてユーザに提示する表示画面の一例であり、情報１４１２は原稿台カバーを開けて原稿を取り除く旨をユーザに通知するものである。操作キー１４０３は、操作キー１４０２と同様の操作キーであるが、「コピー開始」キーが既に押下済みであることをユーザに示すために、グレーアウトで表示する。なお、操作キー１４０３が押下されたことを通知するタッチイベントを受信した場合は、「原稿台カバーを開けて原稿を取り除くと、印刷が開始されます。」等の情報を情報１４１２の代わりに表示するようにしてもよい。
【０１０６】
一方、操作キー１４０２が押下されたことを通知するタッチイベントを受信していない場合には、ステップＳ１２０８に進む。
【０１０７】
ステップＳ１２０８では、送信を中止する指示があったか否かを判定する。操作キー１４０１が押下されたことを通知するタッチイベントを受信した場合は、実行中の送信ジョブを中止するステップＳ１２０９に進む。ステップＳ１２０９では、原稿の読み取りを中止し、ジョブの実行を中止する。画像データの読み取り処理が中止されると、出力設定画面（図３）へ戻り、新たな出力処理を待つ状態に遷移する。一方、操作キー１４０１が押下されたことを通知するタッチイベントを受信していない場合は、ステップＳ１２０６に戻り、ユーザからの指示を待ち続ける。
【０１０８】
次に、送信ジョブが指定された場合について説明する。図１４（Ｃ）は、ステップＳ１２０５においてユーザに提示する継続確認画面の一例であり、操作キー１４０４として「送信開始」を例示している。
【０１０９】
ステップＳ１２０６乃至ステップＳ１２０９では、次の原稿を読み取る指示、送信処理を実行する指示、送信ジョブの実行を中止する指示のいずれかを受け付けるまで待機する。送信処理を実行する指示が受け付けられると、図５のステップＳ５０７乃至ステップＳ５０９に示す原稿台２００の開放待ちの処理に進む。
【０１１０】
最後に、保存ジョブが指定された場合について説明する。図１４（Ｄ）は、ステップＳ１２０５においてユーザに提示する継続確認画面の一例であり、操作キー１４０４として「保存開始」を例示している。
【０１１１】
ステップＳ１２０６乃至ステップＳ１２０９では、次の原稿を読み取る指示、保存処理を実行する指示、保存ジョブの実行を中止する指示のいずれかを受け付けるまで待機する。保存処理を実行する指示が受け付けられると、図５のステップＳ５０７乃至ステップＳ５０９に示す原稿台２００の開放待ちの処理に進む。なお、操作キー１４０４として例示した「送信開始」キー及び操作キー１４０５として例示した「保存開始」キーについても、一度押下された後は、キーが既に押下済みであることをユーザに示すために、グレーアウトで表示する。
【０１１２】
以上説明したとおり、本実施形態によれば、原稿台から複数枚の原稿を読み取る場合には、原稿台にセットされた１枚の原稿が読み取られた後に、原稿台が開放されても、出力処理を実行しない。一方、ユーザから出力処理を実行する指示を受け付けた場合は、原稿台が開放されるまで、出力処理の実行を待つため、原稿の取り忘れを防止することができる。
【０１１３】
なお、本実施形態では、原稿台からＩＤカードの表面と裏面を読み取って１枚のシートに印刷するＩＤカードコピー機能を説明したが、このＩＤカードの読み取りは送信ジョブや保存ジョブにも適用できる。この場合は例えばＩＤカードの表面と裏面を読み取って１ページの画像データを生成し、生成した画像データを送信する又は保存するようにすればよい。
【０１１４】
更に、本実施形態では、所定の機能の一例として図６に示す処理条件を示しているが、これに限られるものではない。例えば、これらの処理条件に加えて、ファクス送信を行う場合にも、原稿台が開放されるまで送信を行わないようにしてもよいし、ＩＤカードを読み取る場合のみ、原稿台が開放されるまで送信を行わないようにしてもよい。更に、ＭＦＰ１０１の管理者によって個別の機能ごとに原稿の置き忘れ防止処理を行うか否かを設定できるようにしてもよい。
【０１１５】
＜他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１６】
１０１  ＭＦＰ
１１０  制御部
１１６  操作部
１２０  スキャナ
２００  原稿台
２１９  原稿台カバー
【図１】
2019118106.tif 000003
【図２】
2019118106.tif 000004
【図３】
2019118106.tif 000005
【図４】
2019118106.tif 000006
【図５】
2019118106.tif 000007
【図６】
2019118106.tif 000008
【図７】
2019118106.tif 000009
【図８】
2019118106.tif 000010
【図９】
2019118106.tif 000011
【図１０】
2019118106.tif 000012
【図１１】
2019118106.tif 000013
【図１２】
2019118106.tif 000014
【図１３】
2019118106.tif 000015
【図１４】
2019118106.tif 000016
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
原稿台と、原稿台カバーと、前記原稿台と前記原稿台カバーの間にセットされた原稿の画像を読み取る読取手段と、
前記読取手段によって読み取られた画像を出力する出力手段と、
ＩＤカードの第１面と第２面を読み取ってから前記第１面の画像と前記第２面の画像を出力するＩＤカード出力モードを設定する設定手段と、
前記ＩＤカード出力モードが前記設定手段によって設定されている場合に、前記読取手段が前記ＩＤカードの前記第１面と前記第２面を読み取ってから、前記出力手段によって前記第１面の画像と前記第２面の画像を出力するよう前記出力手段を制御する制御手段と、
通知手段とを有し、
前記通知手段は、前記ＩＤカード出力モードが前記設定手段によって設定されている場合に、前記出力手段によって前記第１面の画像と前記第２面の画像を出力する前に、前記ＩＤカードを取り除くよう通知することを特徴とする画像処理装置。
【請求項２】
前記通知手段は、前記ＩＤカード出力モードが前記設定手段によって設定されている場合に、前記読取手段が前記ＩＤカードの前記第１面と前記第２面を読み取った後、前記出力手段によって前記第１面の画像と前記第２面の画像を出力する前に、前記ＩＤカードを取り除くよう通知することを特徴とする請求項１に記載の画像処理装置。
【請求項３】
前記通知手段は、前記ＩＤカードコピーモードが前記設定手段によって設定されていない場合に、前記読取手段が前記原稿台と前記原稿台カバーの間にセットされた原稿の画像を読み取った後、前記原稿を取り除くよう通知せずに、前記原稿の画像を出力することを特徴とする請求項１又は２に記載の画像処理装置。
【請求項４】
表示手段をさらに有し、
前記通知手段は、前記ＩＤカードコピーモードが前記設定手段によって設定されている場合に、前記読取手段が前記ＩＤカードの前記第１面と前記第２面を読み取った後、前記出力手段によって前記第１面の画像と前記第２面の画像を出力する前に、前記ＩＤカードを取り除くよう通知するための画面を前記表示手段に表示させることを特徴とする請求項１乃至３のいずれか１項に記載の画像処理装置。
【請求項５】
前記通知手段は、前記ＩＤカードコピーモードが前記設定手段によって設定されている場合に、前記読取手段が前記ＩＤカードの前記第１面と前記第２面を読み取った後、前記出力手段によって前記第１面の画像と前記第２面の画像を出力する前に、前記原稿台カバーを開けて前記ＩＤカードを取り除くよう通知することを特徴とする請求項１乃至４のいずれか１項に記載の画像処理装置。
【請求項６】
前記出力手段は、前記読取手段によって読み取られた画像を印刷する印刷手段であることを特徴とする請求項１乃至５いずれか１項に記載の画像処理装置。
【請求項７】
前記出力手段は、前記読取手段によって読み取られた画像を送信する送信手段であることを特徴とする請求項１乃至６のいずれか１項に記載の画像処理装置。
【請求項８】
原稿台と、原稿台カバーと、前記原稿台と前記原稿台カバーの間にセットされた原稿の画像を読み取る読取工程と、
前記読取工程で読み取られた画像を出力する出力工程と、
ＩＤカードの第１面と第２面を読み取ってから前記第１面の画像と前記第２面の画像を出力するＩＤカード出力モードを設定する設定工程と、
前記ＩＤカード出力モードが前記設定工程で設定されている場合に、前記読取工程で前記ＩＤカードの前記第１面と前記第２面を読み取ってから、前記出力工程で前記第１面の画像と前記第２面の画像を出力するよう制御する制御工程と、
前記ＩＤカード出力モードが前記設定工程で設定されている場合に、前記出力工程で前記第１面の画像と前記第２面の画像を出力する前に、前記ＩＤカードを取り除くよう通知する通知工程とを有することを特徴とする通知方法。
【請求項９】
請求項８に記載の通知方法をコンピュータに実行させるためのプログラム。
【手続補正３】
【補正対象書類名】明細書
【補正対象項目名】０００１
【補正方法】変更
【補正の内容】
【０００１】
本発明は、原稿を読み取って、読み取られた画像を出力する画像処理装置、通知方法及びプログラムに関する。
【手続補正４】
【補正対象書類名】明細書
【補正対象項目名】０００９
【補正方法】変更
【補正の内容】
【０００９】
本発明は、上記の問題点に顧みなされたものであり、ＩＤカード出力モードが設定されている場合に、ＩＤカードの取り忘れを適切に抑制する制御を行う仕組みを提供することを目的とする。
【手続補正５】
【補正対象書類名】明細書
【補正対象項目名】００１０
【補正方法】変更
【補正の内容】
【００１０】
上記の目的を達成するために本発明の画像処理装置は、原稿台と、原稿台カバーと、前記原稿台と前記原稿台カバーの間にセットされた原稿の画像を読み取る読取手段と、前記読取手段によって読み取られた画像を出力する出力手段と、ＩＤカードの第１面と第２面を読み取ってから前記第１面の画像と前記第２面の画像を出力するＩＤカード出力モードを設定する設定手段と、前記ＩＤカード出力モードが前記設定手段によって設定されている場合に、前記読取手段が前記ＩＤカードの前記第１面と前記第２面を読み取ってから、前記出力手段によって前記第１面の画像と前記第２面の画像を出力するよう前記出力手段を制御する制御手段と、通知手段とを有し、前記通知手段は、前記ＩＤカード出力モードが前記設定手段によって設定されている場合に、前記出力手段によって前記第１面の画像と前記第２面の画像を出力する前に、前記ＩＤカードを取り除くよう通知することを特徴とする。
【手続補正６】
【補正対象書類名】明細書
【補正対象項目名】００１１
【補正方法】変更
【補正の内容】
【００１１】
本発明によれば、ＩＤカード出力モードが設定されている場合に、ＩＤカードの取り忘れを適切に抑制することができる。